(57)【要約】【課題】  横材を渡した２本の支柱間に、面材を簡単且つ見栄え良く装着することができる面材の支柱への装着構造およびこれを備えたパーゴラを提供することを課題とする。【解決手段】  桁材３を渡した２本の支柱４，１１間に面材１２を、左右やり返し形式で且つ桁材３との間に上部間隙１４を存して装着する面材１２の支柱への装着構造において、一方の支柱４は呑込み深溝９６を有し、他方の支柱１１は呑込み浅溝１０２を有し、呑込み深溝９６には、やり返しのための余剰寸法分、張り出した先付け幅寄せ部材１３５が設けられ、先付け幅寄せ部材１３５は、桁材３の位置まで差し上げてやり返し動作される面材１２から、下方に外れた位置に配設されている。【選択図】  図８
2005232732.tif 000002
【特許請求の範囲】
【請求項１】
横材を渡した２本の支柱間に面材を、左右やり返し形式で且つ前記横材との間に上部間隙を存して装着する面材の支柱への装着構造において、
一方の前記支柱はやり返しの先挿入となる呑込み深溝を有し、他方の前記支柱はやり返しの後挿入となる呑込み浅溝を有し、
前記呑込み深溝には、やり返しのための余剰寸法分、前記呑込み浅溝側に張り出した先付け幅寄せ部材が設けられ、
前記先付け幅寄せ部材は、前記横材の位置まで差し上げてやり返し動作される前記面材から、下方に外れた位置に配設されていることを特徴とする面材の支柱への装着構造。
【請求項２】
前記先付け幅寄せ部材には、前記面材に係合し前記面材の設置高さ位置を規制する位置規制部材が設けられていることを特徴とする請求項１に記載の面材の支柱への装着構造。
【請求項３】
前記呑込み深溝には、前記面材の上端部に臨み、やり返しのための余剰寸法分、前記呑込み浅溝側に張り出した後付け幅寄せ部材が設けられていることを特徴とする請求項１または２に記載の面材の支柱への装着構造。
【請求項４】
前記面材の上端両側部には、上方に延在する一対の支柱取付け板が設けられ、
一方の前記支柱取付け板は、前記呑込み深溝内に呑み込ませた状態で前記後付け幅寄せ部材を介して一方の前記支柱に固定され、
他方の前記支柱取付け板は、前記呑込み浅溝内に呑み込ませた状態で他方の前記支柱に固定されていることを特徴とする請求項３に記載の面材の支柱への装着構造。
【請求項５】
前記面材は、枠体にラチスを組み込んだトレリスであることを特徴とする請求項１ないし４のいずれかに記載の面材の支柱への装着構造。
【請求項６】
請求項１ないし５のいずれかに記載の面材の支柱への装着構造を備えたことを特徴とするパーゴラ。
【発明の詳細な説明】
【技術分野】
【０００１】
本発明は、パーゴラ等の簡易建物において、横材を渡した２本の支柱間にトレリス等の面材を装着する面材の支柱への装着構造およびこれを備えたパーゴラに関するものである。
【背景技術】
【０００２】
従来のこの種の面材の支柱への装着構造として、手摺上に立設したパーゴラに適用したものが知られている。このパーゴラでは、格子状の面材本体と、この面材本体の上辺および下辺にそれぞれ設けた上金枠および下金枠と、で面材が構成されており、この面材が、その４つの角部でそれぞれブラケット金具を介して手摺上に立設した２本の支柱間に装着されている。
【特許文献１】特開平９−２９６５０４号公報
【発明の開示】
【発明が解決しようとする課題】
【０００３】
このような、従来の面材の支柱への装着構造では、面材を装着する前に、各ブラケット金具を支柱に精度良く取り付けておく必要があり、面材の組付けが煩雑になる問題があった。また、ブラケット金具が露出すると共に、支柱と面材の枠体との間に隙間が生じ、パーゴラの意匠性が悪化する問題があった。
【０００４】
本発明は、横材を渡した２本の支柱間に、面材を簡単且つ見栄え良く装着することができる面材の支柱への装着構造およびこれを備えたパーゴラを提供することを課題としている。
【課題を解決するための手段】
【０００５】
本発明の面材の支柱への装着構造は、横材を渡した２本の支柱間に面材を、左右やり返し形式で且つ横材との間に上部間隙を存して装着する面材の支柱への装着構造において、一方の支柱はやり返しの先挿入となる呑込み深溝を有し、他方の支柱はやり返しの後挿入となる呑込み浅溝を有し、呑込み深溝には、やり返しのための余剰寸法分、呑込み浅溝側に張り出した先付け幅寄せ部材が設けられ、先付け幅寄せ部材は、横材の位置まで差し上げてやり返し動作される面材から、下方に外れた位置に配設されていることを特徴とする。
【０００６】
この構成によれば、面材を横材の位置まで差し上げ、やり返しにより両支柱の呑込み深溝および呑込み浅溝間に装着した後、面材を呑込み浅溝側に寄せながらこれを落とし込んで、呑込み浅溝と先付け幅寄せ部材との間に装着する。これにより、面材を、がたつきを生ずることなく且つ面材と支柱との間に隙間を生ずることなく、予め施工した支柱間に装着することができる。
【０００７】
この場合、先付け幅寄せ部材には、面材に係合し面材の設置高さ位置を規制する位置規制部材が設けられていることが、好ましい。
【０００８】
この構成によれば、面材をデッキやテラス等のベースから幾分浮いた所望の位置に設置することができる。
【０００９】
これらの場合、呑込み深溝には、面材の上端部に臨み、やり返しのための余剰寸法分、呑込み浅溝側に張り出した後付け幅寄せ部材が設けられていることが、好ましい。
【００１０】
この構成によれば、面材の下部は、呑込み浅溝および先付け幅寄せ部材により保持され、上部は、呑込み浅溝および後付け幅寄せ部材により保持される。このため、呑込み深溝および呑込み浅溝間に、面材をがたつきなく装着することができる。
【００１１】
この場合、面材の上端両側部には、上方に延在する一対の支柱取付け板が設けられ、一方の支柱取付け板は、呑込み深溝内に呑み込ませた状態で後付け幅寄せ部材を介して一方の支柱に固定され、他方の支柱取付け板は、呑込み浅溝内に呑み込ませた状態で他方の支柱に固定されていることが、好ましい。
【００１２】
この構成によれば、装着した面材と横材との間に上部間隙から、一対の支柱取付け板を介して面材を、呑込み深溝および呑込み浅溝に呑み込ませた状態で両支柱に固定することができる。これにより、面材を両支柱間に強固に設置することができる。
【００１３】
これらの場合、面材は、枠体にラチスを組み込んだトレリスであることが、好ましい。
【００１４】
この構成によれば、トレリスを、そのデザイン性を損なうことなく、両支柱間に簡単に装着することができる。
【００１５】
本発明のパーゴラは、上記した面材の支柱への装着構造を備えたことを特徴とする。
【００１６】
この構成によれば、面材を支柱に簡単に装着することができ、そのデザイン性および組立ての作業性を向上させることができる。
【発明の効果】
【００１７】
以上のように、本発明の面材の支柱への装着構造およびパーゴラによれば、予め横材を渡した２本の支柱間に、後から面材を簡単且つ見栄え良く装着することができ、デザイン性と組立性の良好なパーゴラを提供することができる。
【発明を実施するための最良の形態】
【００１８】
以下、添付図面を参照して、本発明の一実施形態に係る面材の支柱への装着構造を適用したパーゴラについて説明する。このパーゴラは、建物の正面にガーデニング用の構造物として設置され、デッキ上において周囲にトレリスを張りめぐらすと共に、上部の前半部にトレリス屋根を、後半部（建物側）にパネル屋根を設けて、構成されている。
【００１９】
図１ないし図３の姿図に示すように、実施形態のパーゴラ１は、建物の外壁Ｗから前方に水平に延びる一対の梁材２，２と、一対の梁材２，２の前端部間に渡した桁材３と、桁材３を左右の両外端部で支持する一対の支柱４，４と、外壁Ｗと桁材３との前後中間において一対の梁材３，３間に掛け渡した前枠５と、により主構造体が構成されている。また、外壁Ｗの前面には、一対の梁材２，２間に渡すように梁掛け材６が配設されており（図４参照）、この梁掛け材６と桁材３との間には、下方から見上げたときに棚材様に見える３本に補助梁材７が掛け渡されている。一対の支柱４，４は、地表から立ち上がっており、また地表上には複数の床づか８に支持されるようにして広くデッキ９が設けられている。
【００２０】
デッキ９上には、一対の支柱４，４間に位置して４本の補助支柱１１が設けられており、これら支柱４および補助支柱１１に保持させて、パーゴラ１の正面には横並びに５枚の面材用トレリス１２が組み込まれている。同様に、パーゴラ１の各側面には、一方の支柱４と３本の補助支柱１１により、横並びに３枚の面材用トレリス１２がそれぞれ組み込まれている。この場合、正面の中間に位置する３枚の面材用トレリス１２と、両側面に位置する各３枚の面材用トレリス１２とは同一幅に形成され、正面の左右両端部に位置する２枚の面材用トレリス１２は、上記の面材用トレリス１２より幅狭に形成されている。そして、これら面材用トレリス１２は、略人間の背丈の高さに形成されており、デッキ９との間に小さな下部間隙１３を存して、桁材３との間には大きな上部間隙１４を存して配設されている。なお、梁材２、桁材３、支柱４、前枠５、梁掛け材６、補助梁材７および補助支柱１１は、いずれもアルミニウム等の形材で構成されている。
【００２１】
一方、外壁Ｗ、一対の梁材２，２および桁材３で構成されるパーゴラ１の上部には、外壁Ｗと上記の前枠５との間に片流れのハーフ屋根パネル１６が設置され、また梁掛け材６と桁材３との間には、補助梁材７に支持するようにして４枚の屋根用トレリス１７が設置されている。すなわち、パーゴラ１の上部は、外壁Ｗ側半部がパネル屋根Ａとなっており、桁材３側半部がトレリス屋根Ｂとなっている。なお、図３中の符号１８は、前後縦列の複数の複数の床づか８を連結する連結バーであり、符号１９は、縦樋である。
【００２２】
図４に示すように、桁材３は、表面を木目模様に処理したアルミニウムの形材で構成され、下板部２１と、下板部２１の前端から直角に上方に延びる前板部２２と、下板部の後端から直角に上方に延びる後板部２３と、前板部２２および後板部２３の上端間を斜めに連結した上板部２４と、上板部２４の位置から前板部２２を延長した前立上げ板部２５と、上板部２４の後部から斜めに立ち上がった支持板部２６と、で一体に形成されている。上板部２４は、支持板部２６の基部の段部を境界にして前側傾斜部位２４ａと後側傾斜部位２４ｂと、を有している。すなわち、下板部２１、前板部２２、後板部２３および上板部２４により桁材中空部２８が形成され、上板部２４の前側傾斜部位２４ａ、前立上げ板２５および支持板部２６により、横樋の機能を有する桁内樋部２９が形成されている。
【００２３】
また、前立上げ板部２５の上部には、内向きに直角に屈曲した掛止片部２５ａが形成されると共に、支持板部２６の上部には、内向き直角に屈曲した厚肉の固定片部２６ａが形成されている。掛止片部２５ａと固定片部２６ａとは、同一水平面内に配設されており、これに取り付けられる屋根のタイプに応じて、掛止片部２５ａは屋根構成部材の掛止部位として使用され、固定片部２６ａは屋根構成部材の固定部位として使用される。
【００２４】
例えば、図５に示すように、桁材３に隣接する屋根別に、梁タイプ屋根および桟タイプ屋根では、掛止片部２５ａおよび固定片部２６ａ間に桁カバー３１が取り付けられるようになっている。桁カバー３１は、掛止片部２５ａに掛止される前部係止部３３と、前部係止部３３から水平に延びる樋閉止部３４と、樋閉止部３４の後端から下垂した下垂部３５と、で一体に形成されている。桁材３に対し桁カバー３１は、前部係止部３３で桁材３の掛止片部２５ａに掛止され、樋閉止部３４で桁材３の固定片部２６ａにビス止めされる。また、この状態で、下垂部３５は桁材３の後側傾斜部位２４ｂと僅かな間隙を存して対峙する共に、後板部２３と面一に配設される。
【００２５】
一方、桁材３に隣接してパネル屋根Ａが設けられる場合には、後述する屋根パネルの鼻隠し７１が、桁材３の固定片部２６ａにビス止めされる。そして、本実施形態のように、桁材３に隣接してトレリス屋根Ｂが設けられる場合には、上記の桁カバー３１と第１回り縁３７が取り付けられるようになっている。第１回り縁３７は、横長中空形状の回り縁本体３８と、回り縁本体３８から前方に斜めに延びる固定片３９とで一体に形成され、この固定片３９の部分で桁材３の後側傾斜部位２４ｂにビス止めされる（図４参照）。なお、前枠５側では、上記の第１回り縁３７に代えて第２回り縁４０が設けられている（図４参照）。
【００２６】
図６に示すように、梁材２は、内側に位置する縦長の支持中空部４２と、支持中空部４２の下端から外側に延長するように設けた水平片４３と、水平片４３の外端部から立ち上がった鉛直片４４とから成る梁材本体４１に、鉛直片４４の外側に位置して薄手の化粧カバー４５をビス止めして、構成されている。この場合、梁材本体４１の前端は桁材３の外端部に突き当てられる一方、化粧カバー４５の前端部は、桁材３の小口を覆うように桁材３の前面位置まで延在している。
【００２７】
梁材本体４１は、アルミニウムの形材で一体に形成されており、支持中空部４２の上面には上記の前枠５が固定されるようになっている。また、支持中空部４２、水平片４３および鉛直片４４で囲まれた空間には、上記の桁内樋部２９に連なる梁内樋部４７が形成されている。そして、梁材２の外壁側端部（後端部）には、梁内樋部４７を縦樋１９に接続するための樋接続具４８が取り付けられ、且つ梁材２の後端小口は、止水板４９で水密に閉塞されている（図４参照）。
【００２８】
化粧カバー４５は、桁材３と同様に表面を木目模様に処理したアルミニウムの形材で構成され、且つその木目模様は桁材３と統一したデザインとなっている。また、化粧カバー４５は、支持中空部４２を隠すように桁材３と同一の高さを有し、その前端小口には、木目模様の小口キャップ（図示省略）が装着されている。これにより、桁材３および梁材２が木目模様の統一したデザインに仕上げられ、且つ両者のコーナー部が４５°接合のようにスッキリしたデザインとなっている。
【００２９】
図４に示すように、前枠５は、ハーフ屋根パネル１６の前部を支持するものであり、ベース片５１と、ベース片５１の前端に立ち上がった鉛直起立片５２と、ベース片５１の後端寄りの位置から上記桁材３の支持板部２６と同様に斜めに立ち上げた傾斜起立片５３と、で一体に形成されている。また、これらベース片５１、鉛直起立片５２および傾斜起立片５３によりで囲まれた空間には、上記の桁内樋部２９と同様の枠内樋部５５が形成されている。この枠内樋部５５を構成するベース片５１の両外端部は切り欠かれており、この切欠き部分により、雨水を上記の梁内樋部４７に流下させる梁・枠間排水開口５６が形成されている（図４（ａ）参照）。そして、傾斜起立片５３の上部には、内向き直角に屈曲した厚肉の固定片部５３ａが形成されており、この固定片部５３ａに後述するハーフ屋根パネル１６の鼻隠し７１がビス止めされている。
【００３０】
梁掛け材６は、梁材２の支持中空部４２と同一高さを有すると共に外壁Ｗに添設するように配設されており、その両端部はそれぞれ左右の梁材（支持中空部４２）２の内面に、その両小口を突き当てるようにして取り付けられている。梁掛け材６は、背面の上下中間部に凸状部６２を有する中空部本体６１と、中空部本体６１の後端から凸状部６２と同寸法後方に延びる上下一対の突当て片６３，６３と、で一体に形成されている。
【００３１】
各補助梁材７は、図７に示すように、略正方形の中空断面を有し、前後の小口を桁材３と梁掛け材６に突き当てるようにして固定されている。各補助梁材７の高さは、梁材２の支持中空部４２と同一の高さに形成されており（梁掛け材６も同一）、屋根用トレリス１７が水平に設置できるようになっている（詳細は後述する）。
【００３２】
一方、図１、図４および図６に示すように、ハーフ屋根パネル１６は、いずれもアルミニウムの形材で形成された前端部の鼻隠し７１、外壁Ｗに固定された後端部の垂木掛け７２および両側枠７３，７３を四周が枠組みして、主構造部が構成されている。鼻隠し７１および垂木掛け７２間には、複数（本実施形態では３本）の垂木材７４が側枠７３に平行に掛け渡されている。また、側枠７３と垂木材７４と間、および隣接する垂木材７４，７４間には、鼻隠し７１および垂木掛け７２間に渡すように短冊状のパネル（屋根葺き材）７５が装着されている。なお、図１中の符号７６は、母屋である。
【００３３】
この場合、鼻隠し７１は、その下部を前枠５の傾斜起立片５３の基部に突き当てた状態で、上部を前枠５の固定片部５３ａにビス止めされ、また垂木掛け７２はコーチねじ７７により外壁Ｗに固定されている。そして、ハーフ屋根パネル１６の雨水を受けるべく、鼻隠し７１の前端は前枠６の枠内樋部５５の直上部に臨んでいる。同様に、各側枠７３は梁材２の直上部に位置しており、強風等により側枠７３から側方から滴下する雨水を梁材２の梁内樋部４７で直接受け得るようになっている（図６参照）。
【００３４】
図１、図４および図７に示すように、各屋根用トレリス１７は、多数の斜格子８２を交差させたトレリス本体８１と、トレリス本体８１の前後を支持する第１周り縁および第２回り縁４０とから成り、桁材３および前枠５間において、梁材２と補助梁材７との間および隣接する補助梁材７，７間で構成された各空間（取付け空間）に装着されている。トレリス本体８１は、多数の斜格子８２を回動自在に連結してものであり、全体として伸縮自在に構成され両周り縁３７，４０間の取付け空間の矩形形状に合わせて伸展される。すなわち、トレリス本体８１は、その四辺をそれぞれ両周り縁３７，４０および両梁材２，２の支持中空部（或いは補助梁材７）４２に支持固定されている。第１回り縁３７は、上述のように一方の上側面に固定片３９を有する横長中空断面を有し、この固定片３９の部分で桁材３の後側傾斜部位２４ｂに固定されている。一方、第２回り縁４０は正方形の中空断面を有し、その上板の端部で梁材（支持中空部４２）３或いは補助梁材７にビス止めされている。なお、各斜格子８２は、木材あるいは木材のチップを樹脂で固めた合成木材等で構成されている。
【００３５】
一方、図８および図９に示すように、支柱４は、方形中空状の支柱本体９１と、支柱本体９１の側面および後面に添設した同一形状の２本の支柱アタッチメント９２（図９では一方のみ図示）とで構成されている。各支柱アタッチメント９２は、支柱本体９１の側面中央にビス止めされる取付け板部９４と、取付け板部９４の両側から内向き略「Ｌ」字状に延びる一対の側板部９５，９５とで一体に形成されており、その内部には両側板部９５，９５の先端間を開口端とする横向きの呑込み深溝９６が構成されている。詳細は後述するが、この呑込み深溝９６には、面材用トレリス１２が装着される。そして、支柱４の上端には桁材３の外端部が載置され、この状態で桁材３は支柱アタッチメント９２にビス止めされている。
【００３６】
補助支柱１１は、対向する２面にそれぞれ呑込み浅溝１０２を形成した略方形の中空状の補助支柱本体１０１と、補助支柱本体１０１の基部をデッキ９上に固定するための固定ベース１０３とで構成されている。固定ベース１０３は、デッキ９上に着座する方形平板状のベース部１０５と、ベース部１０５の中央に突設した方形の環状突起部１０６とから成り、ベース部１０５でデッキ９上に固定されると共に、環状突起部１０６に補助支柱１１の下端部が嵌合固定されるようになっている。これに対し、補助支柱１１の上端部は、各呑込み浅溝１０２の上端部に隠蔽するように設けた一対の取付け板１０７，１０７を介して、桁材３の下面にビス止めされている。
【００３７】
補助支柱本体１０１に形成した呑込み浅溝１０２は、上記支柱アタッチメント９２の呑込み深溝９６に比して浅く形成されおり、面材用トレリス１２をやり返しで装着する場合には、呑込み深溝９６がやり返しの先挿入となり、呑込み浅溝１０２がやり返しの後挿入となる（図１２参照）。なお、図示では省略したが、面材用トレリス１２が装着されない呑込み浅溝（パーゴラ１の両側部の最後端の補助支柱１１）１０２には、その開口端を閉塞する閉塞キャップが装着されている。
【００３８】
図１０および図１１に示すように、各面材用トレリス１２は、いずれもアルミニウムの形材で形成した上枠１１２、下枠１１３および両縦枠１１４，１１４を枠組みしたトレリス枠体１１１に、多数の斜格子１１６から成るトレリス本体（ラチス）１１５を装着して、構成されている。トレリス本体１１５は、多数の斜格子１１６を相互に回動自在に連結したものであり、全体として伸縮自在に構成されトレリス枠体１１１の矩形形状に合わせて伸展される。またこの場合も、各斜格子１１６は、木材あるいは木材のチップを樹脂で固めた合成木材等で構成することが、好ましい。
【００３９】
上枠１１２および下枠１１３はいずれも枠本体１１２ａ，１１３ａと押し縁１１２ｂ，１１３ｂとから成り、同一断面形状を有すると共に相互に上下反転した状態で配設されている。この場合、トレリス枠体１１１に対しトレリス本体１１５は、その左右を両縦枠１１４，１１４に呑み込ませ、上下をそれぞれ上枠１１２および下枠１１３により押し縁形式で装着されている。各縦枠１１４は、一対の押さえ片１１８，１１８と、両押さえ片１１８，１１８を連結する連結片１１９とから成り、連結片１１９を境にして、内側には略「Ｃ」字状の装着溝１２１が、外側に略「コ」字状の浅溝１２２が相互に背合わせに形成されている。そして、装着溝１２１には、呑み込ませるようにしてトレリス本体１１１の縁部が装着されている。
【００４０】
図１１（ｂ）に示すように、トレリス枠体１１１は、両縦枠１１４，１１４に対し上枠１１２通しおよび下枠１１３通しで枠組みされているが、より具体的には、各縦枠１１４の装着溝１２１側のみ切り欠かれていて、浅溝１２２側（連結片１１９）は縦通しの形式で上枠１１２および下枠１１３の小口を覆っている。そして、上枠１１２の小口を覆う連結片１１９の上端部には、浅溝１２２内に位置して上補強板１２４が固定され、この上補強板１２４に上段付きビス１２５が螺合している。同様に、下枠１１３の小口を覆う連結片１１９の下端部には、浅溝１２２内に位置して下補強板１２６が固定され、またこの下補強板１６に下側に位置して、連結片１１９の下端部は反り気味に曲げられ且つ略山形の掛止溝１２７が切り欠くようにして形成されている。そして、面材用トレリス１２は、補助支柱（または支柱アタッチメント９２）１１に対し、左右の下段付きビス１２５，１２５および左右の掛止溝１２７，１２７を介して、これらに固定されるようになっている。
【００４１】
このように構成された各面材用トレリス１２は、一対の支柱４，４、桁材（横材）３および両梁材２，２を施工した後、上記の呑込み深溝９６および呑込み浅溝１０２を利用して、これらに補助支柱１１と共に組み付けられるようになっている。具体的には、パーゴラ１の両側部にあっては、支柱４に対し後方に向かって、面材用トレリス１２、補助支柱１１、面材用トレリス１２、補助支柱１１の順で組みつけられる。また、正面にあっては、両支柱４，４間において片側から、例えば右側の支柱４から面材用トレリス１２、補助支柱１１、面材用トレリス１２、補助支柱１１の順で組み付けてゆき、最後の面材トレリス１２（１２ａ）のみ、やり返しで左側の支柱４とその右隣の補助支柱１１との間に装着される（図１２参照）。
【００４２】
この場合、やり返しで装着された最後の面材トレリス１２ａは、やり返しの余剰寸法分（両溝底間距離−面材トレリスの幅）、支柱アタッチメント９２の呑込み深溝９６と補助支柱１１の呑込み浅溝１０２との間にガタツキをもって且つ離脱可能に装着されてしまう。そこで、本実施形態では、以下のように最後に装着される面材トレリス１２ａ廻りの構造を、面材トレリス１２ａのやり返し動作を許容しつつ、ガタツキや離脱を阻止できるようにしている。
【００４３】
図８および図９に示すように、この面材トレリス１２ａでは、各縦枠１１４の連結片１１９の上端部に、上段付きビス１２５を螺合した上補強板１２４に代えて、上枠１１２を越えて上方に延在する上部支持用の一対の支柱取付け板１３１，１３１が固定されている。各支柱取付け板１３１は、上半部が浅溝１２２から外側に幾分突出するように屈曲している。また、補助支柱１１の呑込み浅溝１０２内には、下部支持用の下段付きビス１３２ａが螺合している。
【００４４】
一方、支柱アタッチメント９２の呑込み深溝９６内には、上記の余剰寸法分、前記呑込み浅溝１０２側に張り出した後付け幅寄せ部材１３４および先付け幅寄せ部材１３５が、上下に配設されている。本実施形態では、面材トレリス１２ａを桁材３の位置まで差し上げてやり返し動作させるようにし、その際、面材トレリス１２ａから下方に外れた位置に、先付け幅寄せ部材１３４を配設するようにしている。具体的には、図８において、面材トレリス１２ａの高さをＬとし、上記の上部間隙をＳ１および下部間隙をＳ２としたときに、先付け幅寄せ部材１３５の上端がデッキ９の上面からＬ−Ｓ１＋Ｓ２以下となるようにしている。実際の先付け幅寄せ部材１３５は、下端をデッキ９の上面に突き当てるように設けられているため、その高さ寸法は、Ｌ−Ｓ１＋Ｓ２より幾分短く形成されている。そして、先付け幅寄せ部材１３５は、支柱アタッチメント９２と共に支柱本体９１にビス止めされている。
【００４５】
また、先付け幅寄せ部材１３５は、断面「コ」字状に形成され、呑込み深溝９６の開口幅より幾分狭い幅に形成されている。さらに、先付け幅寄せ部材１３５の表面には、略上下中間に位置して下段付きビス（位置規制部材）１３２ｂが螺合している。この下段付きビス１３２ｂは、予め施工された先付け幅寄せ部材１３５に対し、やり返しの後に落とし込まれる面材トレリス１２ａが、デッキ９との間に下部間隙１３を存するようにその設置高さ位置を位置規制するものである。すなわち、面材トレリス１２ａの下部は、その両縦枠１１４，１１４に形成した左右の掛止溝１２７，１２７が、先付け幅寄せ部材１２５に螺合させた下段付きビス１３２ｂおよび補助支柱１１に螺合させた下段付きビス１３２ａに係止されるようにしている。
【００４６】
後付け幅寄せ部材１３４は、先付け幅寄せ部材１３５と同一の形態を有しており、その下部が面材トレリス１２ａの上枠１１２の位置に来るように配設されている。すなわち、面材トレリス１２ａの上部は、その両縦枠１１４，１１４にビス止めした左右の支柱取付け板１３１，１３１が、先付け幅寄せ部材１３５におよび補助支柱１１にそれぞれ螺合している。この場合も、後付け幅寄せ部材１３４は、支柱アタッチメント９２と共に支柱本体９１にビス止めされている。なお、上部空間１４および下部空間１３に面する呑込み深溝９６および呑込み浅溝１０２の上部および下部は、閉塞キャップ１３７が装着されている。
【００４７】
以上のように本実施形態によれば、上部空間１４を利用し、面材トレリス１２ａを桁材３の位置まで差し上げてやり返し動作させるようにし、且つこの状態で面材トレリス１２ａから外れる位置に先付け幅寄せ部材１３５を設けるようにしているため、やり返し動作の後、所定の位置に落とし込んだ面材トレリス１２ａを、支柱４の呑込み深溝９６と補助支柱１１の呑込み浅溝１０２間に、離脱不能に且つガタツクことなく装着することができる。また、面材トレリス１２ａの両側端は、呑込み深溝９６および呑込み浅溝１０２内に呑み込まれた状態で、設置されるため、面材トレリス１２ａ廻りをスッキリしたデザインに仕上げることができる。
【００４８】
なお、本発明の面材の支柱への装着構造は、パーゴラにおける面材用トレリスの他、フェンスや手摺における各種の面材の装着構造にも適用可能である。
【図面の簡単な説明】
【００４９】
【図１】本発明の一実施形態に係るパーゴラの平面図である。
【図２】実施形態に係るパーゴラの正面図である。
【図３】実施形態に係るパーゴラの側面図である。
【図４】実施形態に係るパーゴラの拡大平面図（ａ）、拡大裁断側面図（ｂ）である。
【図５】桁材を基本フレームとしてその応用形態を表したシステム図である。
【図６】梁材廻りの拡大断面図である。
【図７】梁材および補助梁材を含む屋根用トレリス廻りの拡大断面図である。
【図８】支柱および補助支柱に対する面材用トレリスの取付け説明図である。
【図９】支柱および補助支柱間に装着した面材用トレリスの各部の拡大断面図である。
【図１０】面材用トレリスの正面図である。
【図１１】面材用トレリスの各部の拡大側面図である。
【図１２】支柱および補助支柱への面材用トレリスの取付け手順の説明図である。
【符号の説明】
【００５０】
１  パーゴラ、２  梁材、３  桁材、４  支柱、１１  補助支柱、１２（１２ａ）  面材用トレリス、１４  上部空間、９１支柱本体、９２  支柱アタッチメント、９６  呑込み深溝、１０１  補助支柱本体、１０２  呑込み浅溝、１１１  トレリス枠体、１１５  トレリス本体、１２７  係止溝、１３１  支柱取付け板  １３２ａ，１３２ｂ  下段付きビス、１３４  後付け幅寄せ部材、１３５  先付け幅寄せ部材
【図１】
2005232732.tif 000003
【図２】
2005232732.tif 000004
【図３】
2005232732.tif 000005
【図４】
2005232732.tif 000006
【図５】
2005232732.tif 000007
【図６】
2005232732.tif 000008
【図７】
2005232732.tif 000009
【図８】
2005232732.tif 000010
【図９】
2005232732.tif 000011
【図１０】
2005232732.tif 000012
【図１１】
2005232732.tif 000013
【図１２】
2005232732.tif 000014